(57)【特許請求の範囲】
【請求項１】
直管型ランプを装着する照明器具本体と、直管型ランプを内装するランプシリンダーと、ランプシリンダーの端部に配置してなるソケットとを有し、同ランプシリンダーの端部近傍内側に、長手方向の中心軸に向かって複数の弾性突出片を有する円筒支持体を配置し、同円筒支持体に直管型ランプを嵌入することにより、同直管型ランプは複数の先端が付け根部より肉厚となる折れ曲がることのない前記弾性突出片によって仮支持され、さらに同弾性突出片は同直管型ランプの長手方向に対し、付け根部より略直立した状態、若干曲折した状態、又は曲折した状態で管径の異なる直管型ランプをソケットに装着支持するように構成したことを特徴とする直管型ランプ用照明器具。
【請求項２】
複数の弾性突出片は、円筒支持体の長手方向の中心軸に向かって、放射状に構成したことを特徴とする請求項１  記載の直管型ランプ用照明器具。
【請求項３】
円筒支持体内周面で、且つ弾性突出片より外側は、段部を有して弾性突出片の内側より内径を大きく構成したことを特徴とする請求項１又は請求項２記載の直管型ランプ用照明器具。
【発明の詳細な説明】
【技術分野】
【０００１】
本発明は直管型ランプ用照明器具の改良に関する。
【背景技術】
【０００２】
従来、建物の軒下等に支持して使用する直管型の蛍光ランプ用照明器具は、屋内で使用する直管型の蛍光ランプ用照明器具と比較すると使用環境が悪化する。例えば冷風が吹き付ける場所や粉塵が舞う場所で使用する場合は、直管型の蛍光ランプを透光性のシリンダーの内部に装着する構造のものが実施されている。
また低温環境で使用する直管型の蛍光ランプ用照明器具は低温による蛍光ランプの光束の維持をはかるために、蛍光ランプをシリンダーの内部に装着する発明が提案されている。（特許文献１参照）
また直管型の蛍光ランプをシリンダーの内部に装着し、光束低下の少ない最適なランプ環境を確保する構造のものが提案されている。（特許文献２参照）
【０００３】
【特許文献１】特開２００１−２３４２６号公報
【特許文献２】特開２００３−１０９４０９号公報
【発明の開示】
【発明が解決しようとする課題】
【０００４】
ところで、直管型の蛍光ランプの管径は、２５．５ｍｍと、２８．０ｍｍと、３２．５ｍｍと複数種のものが使用されている。また近年は銅鉄型の安定器に代えて電子安定器が多用される傾向にある。
銅鉄型の安定器を使用するタイプでは、適合する直管型の蛍光ランプの管径も一種類に特定されるので、なんら不都合は生じないが、電子安定器は、一台で、管径と点灯方式の異なる複数種の直管型の蛍光ランプに適合することが可能となる。
そこで、管径の異なる複数種の直管型の蛍光ランプを一台の照明器具で共用することができると、管径の異なる蛍光ランプごとに異なる大きさのシリンダーを有する照明器具を用意する必要がなく、設計と在庫管理が簡易となる。
また管径の異なる複数種の直管型の蛍光ランプを一台の照明器具で共用する構造では、直管型の蛍光ランプの支持の確実性と、直管型の蛍光ランプの照明器具への着脱の容易性が課題となる。
【０００５】
本発明は上記した課題に鑑み発明したものであって、光束を維持することができ、また管径の異なる所望の蛍光ランプを支持することができ、さらに直管型の蛍光ランプを容易に着脱することができる直管型ランプ用照明器具を提供することを目的とする。
【課題を解決するための手段】
【０００６】
上記課題を解決するために本発明に係る請求項１は、
直管型ランプを装着する照明器具本体と、直管型ランプを内装するランプシリンダーと、ランプシリンダーの端部に配置してなるソケットとを有し、同ランプシリンダーの端部近傍内側に、長手方向の中心軸に向かって複数の弾性突出片を有する円筒支持体を配置して構成してある。
また、同円筒支持体に直管型ランプを嵌入することにより、同直管型ランプは複数の先端が付け根部より肉厚となる折れ曲がることのない前記弾性突出片によって仮支持され、さらに同弾性突出片は同直管型ランプの長手方向に対し、付け根部より略直立した状態、若干曲折した状態、又は曲折した状態で管径の異なる直管型ランプをソケットに装着支持するように構成してある。
【０００９】
請求項２は、請求項１ における直管型ランプ用照明器具における複数の弾性突出片は、円筒支持体の長手方向の中心軸に向かって、放射状に構成してある。  
【００１０】
請求項３は、請求項１又は請求項２における直管型ランプ用照明器具における円筒支持体内周面で、且つ弾性突出片より外側は、段部を有して弾性突出片の内側より内径を大きく構成してある。
【発明の効果】
【００１１】
本発明によると、円筒支持体の長手方向の中心軸に向かって複数の弾性突出片を有して構成してあるので、一機種の照明器具で、管径の異なる直管型ランプを支持することができる。またランプシリンダーの内部に直管型ランプを仮支持することができるので、直管型ランプの着脱を容易に行うことができる。さらに直管型ランプはシリンダーの内部に装着されているので、冷却による光束の低下を抑制することができる効果がある。
【発明を実施するための最良の形態】
【００１２】
以下本発明を実施するための最良の形態を図１乃至図１３について説明する。
【実施例１】
【００１３】
図１乃至図４において、１は直管型ランプを装着する照明器具本体であって、例えば長尺状の箱型に構成し、内部に電子安定器２を支持して構成してある。３は照明器具本体１の両端近傍に支持してなるソケット、４は照明器具本体１の両端近傍に支持してなるソケットとソケットの間に支持してなる透光性のランプシリンダーである。ランプシリンダー４は、長さは例えば１１９３ｍｍ、外径φ４０ｍｍに構成してある。
【００１４】
５は直管型ランプであって、直管型の例えば蛍光ランプである。また同直管型の蛍光ランプは、管径は例えば２５．５ｍｍと、２８．０ｍｍと、３２．５ｍｍと複数種のものがある。また同直管型の蛍光ランプの長さは、例えば１１９８ｍｍと、５８０ｍｍのものがある。６は直管型の蛍光ランプのランプピンである。
【００１５】
図２乃至図１１において、１０はランプシリンダー４の端部近傍内側に配置してなる円筒支持体であって、長手方向の中心軸に向かって複数の弾性突出片を有して構成してある。同円筒支持体は例えばゴム材で構成してある。また複数の弾性突出片１１は円筒支持体の長手方向の中心軸に向かって、例えば１２個を放射状で且つ等間隔に一体構成してある。また複数の弾性突出片１１の先端によって形成される空孔１３の大きさは、例えばφ２４ｍｍに構成してある。また放射状の複数の弾性突出片に代えて、一体構成した弾性突出片を同部に設けても実施することができる。但し弾性突出片を一体構成した構造によると、互換性があるのは、直管型ランプの管径が２５．５ｍｍと、２８．０ｍｍとの間である。１２は円筒支持体１０の端部に一体構成した鍔部である。
【００１６】
また弾性突出片１１は、図８に示すように円筒支持体１０の付け根部は先端より肉薄に構成してある。このように根部は先端より肉薄に構成すると、管径の大きい直管型ランプを挿入支持する際に、弾性突出片１１は倒れやすく、直管型ランプの装着作業が容易となる。また弾性突出片１１の先端は、付け根部より肉厚となるので、折れ曲がることなく直管型の蛍光ランプを確実に保持することができる。
【００１７】
また円筒支持体１０の内周面で、且つ弾性突出片１１より外側は、段部１４を有して弾性突出片の内側より内径を大きく構成してある。弾性突出片１１より外側は、段部を有して弾性突出片の内側より内径を大きく構成すると、直管型ランプを挿入し、仮支持する弾性突出片１１が倒れたときに、弾性突出片１１は内径が大きく構成された空間に容易に移動することができ、直管型ランプの円筒支持体１０への挿入支持が容易となる。例えば円筒支持体１０の弾性突出片１１より内側の太さがφ３３ｍｍのとき、弾性突出片１１より外側の太さは例えばφ３４ｍｍに構成してある。段差は０．５ｍｍである。
【００１８】
図９乃至図１１において、２０はソケットカバー、２１はパッキンであって、環状押圧体２２によって押圧されランプシリンダー４の外面に密接される。
【００１９】
次に図９乃至図１１により、直管型ランプ５の支持について説明する。
（１）先ずランプシリンダー４の内部に直管型ランプ５を挿入すると共にランプシリンダー４の両端部に円筒支持体１０を挿入する。このとき円筒支持体１０の多数の弾性突出片１１の間に直管型ランプ５が入り込み、多数の弾性突出片１１によって直管型ランプ５が仮支持される。
（２）次にランプシリンダー４の両端近傍にソケットカバー２０を差し込み図９の状態とする。
（３）かかる後、図９の矢符で示すように、直管型ランプ２をソケット３の所定の位置まで押し上げ、さらに図１０に示すようにランプシリンダー４に差し込んだソケットカバー２０を回転してソケット３に締め込み、図１１の状態とし作業を終了する。
【００２０】
上記したように、直管型ランプ５を支持すると、直管型ランプの管径が２５．５ｍｍのときは、円筒支持体１０の多数の弾性突出片１１は図４に示すように、略直立した状態で直管型ランプ５を支持する。このときランプシリンダー４と直管型ランプ２の隙間は５．２５ｍｍ程度である。また直管型ランプの管径が２８．０ｍｍのときは、円筒支持体１０の多数の弾性突出片１１は図３に示すように、同一方向に若干曲折した状態で直管型ランプ２を支持する。このときランプシリンダー４と直管型ランプ５の隙間は４．０ｍｍ程度である。また直管型ランプの管径が３２．５ｍｍのときは、円筒支持体１０の多数の弾性突出片１１は図２に示すように、同一方向に曲折した状態で直管型ランプ５を支持する。このときランプシリンダー４と直管型ランプ５の隙間は１．７５ｍｍ程度である。このように、一台の直管型ランプ用照明器具で管径の異なる直管型ランプを支持し共用することができる。
【実施例２】
【００２１】
またランプシリンダー４と直管型ランプ５の設計寸法に余裕があるときは、図１２及び図１３に示すように、円筒支持体１０の内周面に段部１４を設けることなく実施することができる。寸法に余裕があるときは、多数の弾性突出片１１は無理なく曲折することができる設計とすることができる。その他の構造は実施例１に示したものと同じである。
【図面の簡単な説明】
【００２２】
【図１】本発明に係る直管型ランプ用照明器具の概略正面図。
【図２】本発明に係る直管型ランプ用照明器具の中間を省略した正面図。
【図３】本発明に係る直管型ランプ用照明器具の中間を省略したときの他の実施例を示す正面図。
【図４】本発明に係る直管型ランプ用照明器具の中間を省略したときの他の実施例を示す正面図。
【図５】本発明に係る直管型ランプ用照明器具の円筒支持体部の断面を示す側面図。
【図６】本発明に係る直管型ランプ用照明器具の円筒支持体の正面図。
【図７】図６に示す円筒支持体の断面図。
【図８】図７の一部拡大図。
【図９】本発明にかかる直管型ランプをソケットに装着する前の正面図。
【図１０】本発明にかかる直管型ランプをソケットに装着したときの正面図。
【図１１】本発明にかかる直管型ランプをソケットに装着しソケットカバーを取り付けたときの正面図。
【図１２】本発明にかかる直管型ランプ用照明器具の円筒支持体の他の実施例を示す正面からの断面図。
【図１３】図１２の一部拡大断面図。
【符号の説明】
【００２３】
１  照明器具本体
２  電子安定器
３  ソケット
４  ランプシリンダー
５  直管型ランプ
６  ランプピン
１０  円筒支持体
１１  弾性突出片
１２  鍔片
１３  空孔
１４  段部
２０  ソケットカバー
２１  パッキン
【図１】
0004736122.tif 000002
【図２】
0004736122.tif 000003
【図３】
0004736122.tif 000004
【図４】
0004736122.tif 000005
【図５】
0004736122.tif 000006
【図６】
0004736122.tif 000007
【図７】
0004736122.tif 000008
【図８】
0004736122.tif 000009
【図９】
0004736122.tif 000010
【図１０】
0004736122.tif 000011
【図１１】
0004736122.tif 000012
【図１２】
0004736122.tif 000013
【図１３】
0004736122.tif 000014